(57)【特許請求の範囲】
【請求項１】
間仕切りや移動ブース等の複数枚のパネルを据付けして構成される構造体で、上記パネル下端に配置する床レールにおいて、底片の両側には側片を垂直に起立したコ型断面を成し、両側片内側の中央部位には支持片を設け、上記パネルを支持する為のアジャスターを収容すると共に、アジャスターの基台を上記支持片に係止して支え、基台中央に設けたネジ穴に螺合したネジの上端にはパネル下端を載せる支持板を取り付けしていることを特徴とするアジャスターを備えた床レール。
【請求項２】
間仕切りや移動ブース等の複数枚のパネルを据付けして構成される構造体で、上記パネル下端に配置する床レールにおいて、底片の両側には側片を垂直に起立したコ型断面を成し、両側片内側の中央部位にはＬ型をした支持片を設け、上記パネルを支持する為のアジャスターを収容すると共に、アジャスターの基台の両脚を上記支持片と側片間に嵌入して支え、基台中央に設けたネジ穴に螺合したネジの上端にはパネル下端を載せる支持板を取り付けしていることを特徴とするアジャスターを備えた床レール。
【請求項３】
上記側片の先端内側には気密ゴムを設けた請求項１、又は請求項２記載のアジャスターを備えた床レール。
【発明の詳細な説明】
【０００１】
【産業上の利用分野】
本発明は巾木を用いないでパネルを支持することが出来る床レールに関するものである。ここでパネルは間仕切りとして使用する場合に限らず、工場内等に設置される移動ブースやその他の構造体を構成するパネル支持の場合も対象とする。
【０００２】
【従来の技術】
図３は従来の床レールを用いた間仕切り装置であり、断面を含む斜視図を表し、図４は縦断面図を示している。そこで床面には床レール(イ) を敷設し、該床レール上には巾木(ロ) が載り、巾木(ロ) は床レール内に配置したアジャスター(ハ) によって支持されている。そして該巾木(ロ) にはパネル（ニ)が載って垂直に起立し、パネル（ニ)、（ニ)間にはスタッド(ホ) が介在していて、パネル側端は該スタッド(ホ) によって固定されている。又、パネル（ニ)の上端は天井に配置した笠木(ヘ) に嵌っている。
【０００３】
ところで、床レール(イ) 内に配置したアジャスター(ハ) はネジ(ト) を調整することでパネル高さを変えることが出来るが、従来のパネル支持構造は床レールに巾木を載せてアジャスターにより調整可能に支持しているが、該アジャスター(ハ) を再調整する場合には巾木(ロ) を取り外ししなくてはならず、又、床レール(イ) と巾木(ロ) 、それにアジャスター(ハ) の組み合わせ構造である為に、部品点数も多く、据え付け作業も面倒となる。
【０００４】
【本発明が解決しようとする課題】
このように、従来のパネル支持構造には上記のごとき問題がある。本発明が解決しようとする課題はこの問題点であって、巾木を用いることなくパネルを支持することが出来る床レールを提供する。
【０００５】
【課題を解決するための手段】
本発明の床レールは上記のごとく巾木を用いないでパネルを支持することが出来る床レールであって、断面は概略コ型を成し、上方を開口して床面に固定される。コ型である点は従来の床レールと同じであるが、本発明では両側片の高さが高くなっていて、パネル下端部は両側片に挟まれて床レールに嵌入した状態で支持される。
【０００６】
そして、両側片の内面にはカギ型の支持片が設けられ、この支持片にはアジャスターの基台が係止して支えられる。基台にはネジが螺合し、ネジ上端に設けている支持板にはパネルが載って支えられる。ここで、上記支持片は単に基台が載るだけではなく、基台側端が嵌合するような支持構造と成っていて、両側片の外方向への広がりを防止している。以下、本発明に係る実施例を図面に基づいて詳細に説明する。
【０００７】
【実施例】
図１は本発明に係る床レールを示す実施例である。該床レールは断面コ型を成した長尺材であり、底片１の両側には側片２、２が垂直に起立し、側片先端の内側には凹溝が沿設されていて、該凹溝には気密ゴム３が嵌合して設けられている。又、側片２の内側中間部にはＬ型に屈曲した支持片４を設け、底片１の下面にも凹溝を形成して気密ゴム３を嵌合している。
【０００８】
この床レールは従来のコ型断面をした床レールよりも、側片の高さを大きくしてその中間位置に上記支持片４を形成している。本発明ではこの両側片２、２に形成した支持片４、４を利用してアジャスター５を取り付けしている。アジャスター５はコ型に屈曲した基台６とネジ７、それに支持板８から成り、基台６中央に設けたネジ穴に上記ネジ７が螺合している。そして支持板８はネジ７の頭に取り付けされ、ネジ７が回転することにより支持板８の高さは調整される。
【０００９】
ところで、基台６の両側に設けている脚９、９は側片２、２に設けている支持片４、４に係止して支えられている。従って基台６は支持片４、４に係止してガタ付くことなく安定し、逆に支持片４、４も脚９、９が係止することで位置決めされ、その結果、高さが高い側片２、２ではあるが、側片の中間部位が基台６にて拘束される為に床レールの両側片２、２の剛性が高くなる。
【００１０】
図２は本発明の床レールにてパネル１０の下端部を嵌合して支持した場合を示している。ここでパネル１０の具体的な構造は特に限定しないが、同図に示すパネル１０はペーパコア１１の両面に表面材１２、１２を貼着したものであって、下端には下補強桟１３を備えてアジャスター５の支持板８に載っている。勿論、パネル１０の下端部は床レールの両側片２、２に挟持され、側片先端に設けている気密ゴム３はパネル表面に当接した状態にある。
【００１１】
側片２はその中間部位にてアジャスター５の基台６の脚９が支持片４に係止することで、外方向への倒れを防止し、パネル表面との間に隙間が生じないようにしている。特に、先端に設けている気密ゴム３はパネル表面に密着してパネル間の気密性を保ち、同じく底辺１に設けている気密ゴム３は床面との間の気密性を保っている。
【００１２】
以上述べたように、本発明の床レールはコ型断面をした長尺材であり、両側片にはその中間部位に支持片を設け、この支持片にアジャスターの基台を係止し、ネジの上端に設けている支持板にパネルを載せるようにしたものであって、次のような効果を得ることが出る。
【００１３】
【発明の効果】
本発明の床レールは両側片間にパネル下端部を嵌入して据付けられる為に、従来の巾木を用いる必要がない。そして、床レール内にはアジャスターが配置され、パネルはこのアジャスターの支持板に載って高さが自由に調整される。この場合、アジャスターは床レール底に配置されるのではなく、両側片の内側に設けた支持片に基台の脚が係止した状態で支持される為に、アジャスターは安定すると共に、床レールの側片が外方向へ広がることを防止することが出来る。すなわち、パネル下端部を嵌入すると共に、アジャスターを配置することで床レール側片の高さが高くなって剛性が低下するが、側片の中間部位をアジャスター基台にて拘束することで側片先端はパネル表面に密着して隙間を残さない。
【図面の簡単な説明】
【図１】本発明の床レールを示す実施例。
【図２】床レールにパネル下端部を嵌入して支持した場合。
【図３】従来の床レールを用いた間仕切り装置。
【図４】従来の間仕切り装置の縦断面図。
【符号の説明】
１  底片
２  側片
３  気密ゴム
４  支持片
５  アジャスター
６  基台
７  ネジ
８  支持板
９  脚
10  パネル
11  ペーパコア
12  表面材
13  下補強桟
【図１】
0003820532.tif 000002
【図２】
0003820532.tif 000003
【図３】
0003820532.tif 000004
【図４】
0003820532.tif 000005